(57)【要約】  モジュール式棚システム、電磁コネクタ、導電アセンブリ、および、載置用挿入部材を開示する。モジュール式棚システムは、少なくとも１つの棚モジュールと、少なくとも１つの棚モジュールに連結された電力モジュールと、少なくとも１つの棚モジュールに連結されると共に、電力モジュールに電気的に接続された導電アセンブリとを含む。導電アセンブリは、第１列の開口部および第２列の開口部を有するボードと、強磁性材料または磁性材料から形成された背板と、電力モジュールに電気的に連結されると共に、背板とボードの間に配置された第１の導電部と、電力モジュールに電気的に連結されると共に、背板とボードの間に配置された導電部とを含む。第１の導電部は、ボードの第１列の開口部と位置合わせされている。第２の導電部は、ボードの第２列の開口部と位置合わせされている。
2018522603.tif 000002
【特許請求の範囲】
【請求項１】
モジュール式棚システムにおいて、
少なくとも１つの棚モジュールと、
少なくとも１つの前記棚モジュールに連結された電力モジュールと、
少なくとも１つの前記棚モジュールに連結されると共に、前記電力モジュールに電気的に接続された導電アセンブリと、
を備え、
前記導電アセンブリが、
第１列の開口部および第２列の開口部を有するボードと、
強磁性材料または磁性材料から形成された背板と、
前記電力モジュールに電気的に連結されると共に、前記背板と前記ボードの間に配置され、更に、該ボードの前記第１列の開口部と位置合わせされた第１の導電部と、
前記電力モジュールに電気的に連結されると共に、前記背板と前記ボードの間に配置され、更に、該ボードの前記第２列の開口部と位置合わせされた第２の導電部と、
を含むものである、モジュール式棚システム。
【請求項２】
前記第１列の開口部の少なくとも１つの開口部の直径が、前記第２列の開口部の少なくとも１つの開口部の直径と異なるものである、請求項１に記載のモジュール式棚システム。
【請求項３】
モジュール式棚システムにおいて、
更に、前記導電アセンブリに電気的に連結された電磁コネクタを、備え、
前記電磁コネクタが、
コネクタ本体と、
前記コネクタ本体に連結され、第１の電気的接触面を有する第１の導電端子と、
前記コネクタ本体に連結されると共に、前記第１の導電端子から間隔を空けて配置され、第２の電気的接触面を有する第２の導電端子と、
前記コネクタ本体と前記第１の電気的接触面の間に置かれた第１の磁石部と、
前記コネクタ本体と前記第２の電気的接触面の間に置かれた第２の磁石部と、
を含み、
前記第１の磁石部および前記第２の磁石部が、前記導電アセンブリの前記背板に引き付けられ、それによって、前記電磁コネクタを、該導電アセンブリに機械的に連結し、
前記第１の導電端子は、前記第１列の開口部の中に、前記第１の導電部が前記第１の電気的接触面に電気的に連結されるように置かれ、
前記第２の導電端子は、前記第２列の開口部の中に、前記第２の導電部が前記第２の電気的接触面に電気的に連結されるように置かれたものである、請求項１に記載のモジュール式棚システム。
【請求項４】
少なくとも１つの前記棚モジュールが、
土台と、
前記土台から垂直に延伸し、前記導電アセンブリが連結された背面と、
前記背面から延伸する少なくとも１つの棚と、
少なくとも１つの前記棚に連結された少なくとも１つ電動式表示部と、
を備え、
前記少なくとも１つの電動式表示部が、前記電磁コネクタによって、前記導電アセンブリに電気的に連結されたものである、請求項３に記載のモジュール式棚システム。
【請求項５】
電磁コネクタにおいて、
コネクタ本体と、
前記コネクタ本体に連結され、第１の電気的接触面を有する第１の導電端子と、
前記コネクタ本体に連結されると共に、前記第１の導電端子から間隔を空けて配置され、第２の電気的接触面を有する第２の導電端子と、
前記コネクタ本体と前記第１の電気的接触面の間に置かれた第１の磁石部と、
前記コネクタ本体と前記第２の電気的接触面の間に置かれた第２の磁石部と、
を備えた、電磁コネクタ。
【請求項６】
前記第１の電気的接触面および前記第２の電気的接触面の少なくとも１つが、耐腐食材料を含むか、または、前記耐腐食材料でメッキされ、
前記第１の電気的接触面および前記第２の電気的接触面の少なくとも１つが、摩擦低減被膜で被膜されたものである、請求項５に記載の電磁コネクタ。
【請求項７】
前記第１の磁石部が、開口部を有し、
前記第１の導電端子が、前記第１の磁石部の開口部を通って延伸し、
前記第２の磁石部が、開口部を有し、
前記第２の導電端子が、前記第２の磁石部の開口部を通って延伸するものである、請求項５に記載の電磁コネクタ。
【請求項８】
前記第２の電気的接触面が、平面かつ円形であり、
前記第１の電気的接触面が、平面かつ円形である、請求項５に記載の電磁コネクタ。
【請求項９】
前記第２の電気的接触面の直径が、前記第１の電気的接触面と異なるものである、請求項８に記載の電磁コネクタ。
【請求項１０】
前記第１の導電端子が、該第１の導電端子の第１の端部において、前記第１の電気的接触面で終端し、
前記第２の導電端子が、該第２の導電端子の第１の端部において、前記第２の電気的接触面で終端するものである、請求項５に記載の電磁コネクタ。
【請求項１１】
前記コネクタ本体が、該コネクタ本体の厚さを通って延伸する第２の端子開口部を含み、
前記第２の導電端子が、前記第２の端子開口部を通って延伸し、
前記コネクタ本体が、該コネクタ本体の厚さを通って延伸する第１の端子開口部を含み、
前記第１の導電端子が、前記第１の端子開口部を通って延伸するものである、請求項１０に記載の電磁コネクタ。
【請求項１２】
前記第２の導電端子の第２の端部が、第２の導電部進入開口部を有し、
前記第１の導電端子の第２の端部が、第１の導電部進入開口部を有するものである、請求項１１に記載の電磁コネクタ。
【請求項１３】
導電アセンブリにおいて、
第１列の開口部および第２列の開口部を有するボードと、
強磁性材料または磁性材料から形成された背板と、
前記背板と前記ボードの間に配置され、該ボードの前記第１列の開口部と位置合わせされた第１の導電部と、
前記背板と前記ボードの間に配置され、該ボードの前記第２列の開口部と位置合わせされた第２の導電部と、
を備えた、導電アセンブリ。
【請求項１４】
導電アセンブリにおいて、
更に、前記背板と前記第１の導電部および前記第２の導電部の少なくとも１つとの間に、配置された電気絶縁する接着剤を、備え、
前記電気絶縁する接着剤が、前記背板を、前記第１の導電部および前記第２の導電部の１つに固定するものである、請求項１３に記載の導電アセンブリ。
【請求項１５】
前記第１列の開口部の少なくとも１つの開口部の直径が、前記第２列の開口部の少なくとも１つの開口部の直径と異なるものである、請求項１３に記載の導電アセンブリ。
【請求項１６】
載置用挿入部材において、
天板と、
前記天板から垂直に延伸し、第１の開口部およびガイド開口部を有する第１のブラケットと、
前記第１のブラケットの前記第１の開口部の中に置かれた止め部材と、
第２のブラケットと、
前記第２のブラケットに連結されたガイド部材と、
を備え、
前記ガイド部材は、前記第１のブラケットの前記ガイド開口部を通って延伸し、それによって、前記第２のブラケットが前記天板に対し垂直に延伸するように、該第１のブラケットを該第２のブラケットに連結し、
前記止め部材が前記第２のブラケットの表面と係合し、該止め部材が第１の方向に回転すると、該止め部材は該第２のブラケットの方向に移動し、それによって、前記第１のブラケットと該第２のブラケットの間の空間が増加するように、該第２のブラケットを、該第１のブラケットから離れるように移動するものである、載置用挿入部材。
【請求項１７】
前記第１の開口部が、ネジ山付き開口部であり、前記止め部材が、ネジ山付き止め部材である、請求項１６に記載の載置用挿入部材。
【請求項１８】
前記ガイド部材が、前記第２のブラケットに固着されるか、または、該第２のブラケットと一体化して形成されたものである、請求項１６に記載の載置用挿入部材。
【請求項１９】
前記天板が、更に、開口部を有するものである、請求項１６に記載の載置用挿入部材。
【請求項２０】
前記天板および前記第１のブラケットが、一体化して形成されたものである、請求項１６に記載の載置用挿入部材。
【請求項２１】
モジュール式棚システムにおいて、
第１の棚モジュールと、
第２の棚モジュールと、
前記第１の棚モジュールと前記第２の棚モジューの間に配置され、該第１の棚モジュールを、該第２の棚モジュールに固定するインターフェース用直立部と、
電力モジュールと、
を備え、
請求項１６に記載の前記載置用挿入部材が、前記インターフェース用直立部の中に配置され、
前記電力モジュールが、前記載置用挿入部材によって、前記インターフェース用直立部に固定されたものである、モジュール式棚システム。
【請求項２２】
前記天板が、更に、開口部を有し、
前記載置用挿入部材が、更に、載置用ブラケットを含み、
前記電力モジュールが、前記載置用ブラケットと前記天板の前記開口部とを通って延伸する留め具によって、前記モジュール式棚システムに固定され、それによって、前記電力モジュールを、前記インターフェース用直立部に固定するものである、請求項２１に記載のモジュール式棚システム。
【発明の詳細な説明】
【関連出願の相互参照】
【０００１】
本願は、２０１５年５月２２日出願の米国非仮特許出願第１４／７１９，８７７号の優先権の利益を主張し、それを、全体として参照により本明細書に組み込む。
【技術分野】
【０００２】
本明細書は、モジュール式棚システム、電磁コネクタ、導電アセンブリ、および、載置用挿入部材に関する。
【背景技術】
【０００３】
購入時の商品は、概して棚に陳列される。棚は、そこに陳列された製品に関する情報、または、任意の他のタイプの情報を提供する電動式表示部を含むことがある。そのような棚の近くに更に置かれた、無線送信器、カメラ、マイクロフォン、照明部材などの構成要素は、動作用電力を必要とするかもしれない。
【発明の概要】
【発明が解決しようとする課題】
【０００４】
したがって、電力分配部を含むモジュール式棚システムが必要である。
【課題を解決するための手段】
【０００５】
一実施形態において、モジュール式棚システム、電磁コネクタ、導電アセンブリ、および、載置用挿入部材を開示する。モジュール式棚システムは、少なくとも１つの棚モジュールと、少なくとも１つの棚モジュールに連結された電力モジュールと、少なくとも１つの棚モジュールに連結されると共に、電力モジュールに電気的に接続された導電アセンブリとを含む。導電アセンブリは、第１列の開口部および第２列の開口部を有するボードと、強磁性材料または磁性材料から形成された背板と、電力モジュールに電気的に連結されると共に、背板とボードの間に配置された第１の導電部と、電力モジュールに電気的に連結されると共に、背板とボードの間に配置された導電部とを含む。第１の導電部は、ボードの第１列の開口部と位置合わせされている。第２の導電部は、ボードの第２列の開口部と位置合わせされている。
【０００６】
他の実施形態において、電磁コネクタは、コネクタ本体と、コネクタ本体に連結された第１の導電端子と、コネクタ本体に連結されると共に、第１の導電端子から間隔を空けて配置された第２の導電端子とを含む。第１の導電端子は、第１の電気的接触面を有する。第２の導電端子は、第２の電気的接触面を有する。電磁コネクタは、更に、コネクタ本体と第１の電気的接触面の間に置かれた第１の磁石部と、コネクタ本体と第２の電気的接触面の間に置かれた第２の磁石部とを含む。
【０００７】
更に他の実施形態において、導電アセンブリは、第１列の開口部および第２列の開口部を有するボードと、強磁性材料または磁性材料から形成された背板と、背板とボードの間に配置された第１の導電部と、背板とボードの間に配置された第２の導電部とを含む。第１の導電部は、ボードの第１列の開口部と位置合わせされている。第２の導電部は、ボードの第２列の開口部と位置合わせされている。
【０００８】
更に他の実施形態において、載置用挿入部材は、天板と、天板から垂直に延伸する第１のブラケットとを含む。第１のブラケットは、第１の開口部およびガイド開口部を有する。載置用挿入部材は、更に、第１のブラケットの第１の開口部の中に置かれた止め部材と、第２のブラケットと、第２のブラケットに連結されたガイド部材とを含む。ガイド部材は、第１のブラケットのガイド開口部を通って延伸し、それによって、第２のブラケットが天板に対し垂直に延伸するように、第１のブラケットを第２のブラケットに連結する。止め部材が第２のブラケットの表面と係合し、止め部材が第１の方向に回転すると、止め部材は第２のブラケットの方向に移動し、それによって、第１のブラケットと第２のブラケットの間の空間が増加するように、第２のブラケットを、第１のブラケットから離れるように移動する。
【０００９】
これらの特徴、および、本明細書に記載の実施形態によって提供される更なる特徴は、図面と共に、以下の詳細な記載から、更に完全に理解されるだろう。
【００１０】
図面に示した実施形態は、本来、例示的かつ代表的なものであり、請求項に記載した主題を限定することを意図していない。以下の例示的な実施形態の詳細な記載は、類似の構造要素を類似の参照符号で示した添付の図面と共に読むことで、理解されうるものである。
【図面の簡単な説明】
【００１１】
【図１】本明細書に図示および記載した１つ以上の実施形態による、インターフェース用直立部によって固定した２つの棚モジュールの概略斜視図である。
【図２】本明細書に図示および記載した１つ以上の実施形態によるモジュール式棚システムの概略側面図である。
【図３】本明細書に図示および記載した１つ以上の実施形態による電力モジュールの概略側面図である。
【図４】本明細書に図示および記載した１つ以上の実施形態による載置用挿入部材の概略斜視図である。
【図５】本明細書に図示および記載した１つ以上の実施形態による図４の載置用挿入部材の概略側面図であり、更に、載置用挿入部材の構成要素を示している。
【図６】本明細書に図示および記載した１つ以上の実施形態による図４および５の載置用挿入部材の概略上面図であり、インターフェース用直立部内に配設前の構成で配置されている。
【図７】本明細書に図示および記載した１つ以上の実施形態による図４および５の載置用挿入部材の概略上面図であり、インターフェース用直立部内に、載置用挿入部材がインターフェース用直立部と摩擦係合した配設後の構成で配置されている。
【図８】本明細書に図示および記載した１つ以上の実施形態による、背面に連結された導電アセンブリの概略側面図である。
【図９】本明細書に図示および記載した１つ以上の実施形態による図８の導電アセンブリの概略断面図である。
【図１０】本明細書に図示および記載した１つ以上の実施形態による電磁コネクタの概略側面図である。
【図１１】本明細書に図示および記載した１つ以上の実施形態による図１０の電磁コネクタの導電端子の概略底面図である。
【図１２】本明細書に図示および記載した１つ以上の実施形態による図１０の電磁コネクタの磁石部の概略上面図である。
【図１３】本明細書に図示および記載した１つ以上の実施形態による図１０の電磁コネクタのコネクタ本体の概略上面図である。
【図１４】本明細書に図示および記載した１つ以上の実施形態による図１０の電磁コネクタの導電端子の概略側面図である。
【図１５】本明細書に図示および記載した１つ以上の実施形態による導電アセンブリに連結された電磁コネクタの概略側面図である。
【発明を実施するための形態】
【００１２】
図面を参照すると、概して、本明細書に記載の実施形態は、電磁コネクタ、導電アセンブリ、および、載置用挿入部材に関する。本明細書に記載するいくつかのモジュール式棚システムは、少なくとも１つの棚モジュール、棚モジュールに連結された電力モジュール、および、棚モジュールに連結されると共に、電力モジュールからの電力を、導電アセンブリに電気的に接続された電動式構成要素へ分配するために、電力モジュールに電気的に接続された導電アセンブリを備える。電力モジュールは、載置用挿入部材によって、棚モジュールと接触するインターフェース用直立部に固定されていてもよく、載置用挿入部材は、天板と、天板から垂直に延伸し、第１の開口部およびガイド開口部を有する第１のブラケット、第１のブラケットの第１の開口部の中に置かれた止め部材と、第２のブラケットと、第２のブラケットに連結されたガイド部材とを含む。導電アセンブリは、第１列の開口部、および、第１列の開口部に平行である第２列の開口部を有するボードと、背板と、背板とボードの間に配置され、第１列の開口部と位置合わせされた第１の導電部と、背板とボードの間に配置され、第２列の開口部と位置合わせされた第２の導電部とを含んでいてもよい。電力が、電力モジュールから、導電アセンブリに電気的に接続された電動式構成要素へ送られてもよい。いくつかの実施形態において、本明細書に記載の電磁コネクタは、電動式構成要素に電気的に接続され、更に、電力モジュールから電動式構成要素に電力を送るために、導電アセンブリとインターフェース接合していてもよい。電磁コネクタは、コネクタ本体と、第１の導電端子と、第２の導電端子と、コネクタ本体と第１の電気的接触面の間に置かれた第１の磁石部と、コネクタ本体と第２の電気的接触面の間に置かれた第２の磁石部とを含んでいてもよい。添付の図面を参照して、本明細書で、モジュール式棚システム、電磁コネクタ、導電アセンブリ、および、載置用挿入部材の実施形態を、より詳細に記載する。
【００１３】
載置用挿入部材、導電アセンブリ、および、電磁コネクタを、モジュール式棚システムの構成要素として記載するが、実施形態は、それに限定されないと理解されるべきである。特に、本明細書に記載の載置用挿入部材、導電アセンブリ、および、電磁コネクタは、独立で、または、モジュール式棚システム以外のアセンブリまたはシステムにおいて、利用してもよい。
【００１４】
図１を参照すると、第１の棚モジュール１１０、第２の棚モジュール１２０、および、複数のインターフェース用直立部１３０を、概略的に斜視図で示している。第１の棚モジュール１１０および第２の棚モジュール１２０は、各々、土台１１２、背面１１４、複数の棚１１６、および、複数の電動式表示部１１８を含む。土台１１２は、略直方体形状を有する。背面１１４は、略平面で、土台１１２から略垂直に延伸している。図１に示した背面１１４は、複数の開口部を有するボードである。背面１１４が平滑であるか、または、複数のスロットを有する実施形態など、他の実施形態において、背面１１４は、複数の開口部を有さなくてもよい。複数の棚１１６が、複数のインターフェース用直立部１３０に固定され、各インターフェース用直立部１３０は、複数の棚１１６の対応する突起部を挿入して、複数の棚１１６を棚モジュールに載置する複数の開口部を、有していてもよい。複数の棚１１６は、土台１１２に略平行の方向に、背面１１４から略垂直に延伸している。棚モジュールとインターフェース用直立部１３０のアセンブリが、商品を置いてもよい複数の棚１１６を支持する。複数の電動式表示部１１８が、複数の棚１１６の下で垂直に延伸し、複数の棚１１６上の商品に関する情報、複数の棚１１６上の商品を在庫管理するのに役立つ情報、および、更に様々な情報などの情報を、棚モジュールの近くにいる人に向けて表示するように動作可能である。
【００１５】
いくつかの実施形態において、複数の各電動式表示部１１８は、“ＤＩＳＰＬＡＹ  ＳＨＥＬＦ  ＭＯＤＵＬＥＳ  ＷＩＴＨ  ＰＲＯＪＥＣＴＯＲＳ  ＦＯＲ  ＤＩＳＰＬＡＹＩＮＧ  ＰＲＯＤＵＣＴ  ＩＮＦＯＲＭＡＴＩＯＮ  ＡＮＤ  ＭＯＤＵＬＡＲ  ＳＨＥＬＶＩＮＧ  ＳＹＳＴＥＭＳ  ＣＯＭＰＲＩＳＩＮＧ  ＴＨＥ  ＳＡＭＥ”という名称の米国特許出願第１３／７３４，４４３号明細書に記載された電動式投射部および表示スクリーンを含んでいてもよく、それは、全体として参照により本明細書に組み込まれる。他の実施形態において、複数の電動式表示部１１８は、複数の電動式表示スクリーンを含んでいてもよい。本明細書に図示および記載の実施形態は、以下に詳細に記載するように、電力分配システムから電力を受け取る複数の電動式表示部１１８を含むが、実施形態は、それに限定されないと理解されるべきである。例えば、いくつかの実施形態は、複数の電動式表示部１１８を含まなくてもよいが、その代わりに、無線送信器、カメラ、マイクロフォン、照明部材などの他の電動式構成要素を含んでいてもよい。他の実施形態では、複数の電動式表示部１１８、および、本明細書に記載の電力分配システムによって電力を供給される他の構成要素を含んでいてもよい。
【００１６】
更に、図１を参照すると、土台１１２、背面１１４、および、複数の棚１１６は、金属材料（例えば、鋼、アルミニウム合金など）、複合材料、パーティクルボード、または、荷重を支えるのに適した任意の他の材料から形成されてもよい。土台１１２および背面１１４が溶接などによって連結された場合などのように、土台１１２および背面１１４は、１つの単位構成物として製作されてもよい。その代わりに、土台１１２および背面１１４は、独立したものとして作られて、ネジ、ボルトなどの機械的な留め具で連結されてもよい。
【００１７】
更に、図１を参照すると、複数のインターフェース用直立部１３０の１つが、第１の棚モジュール１１０と第２の棚モジュール１２０の間に配置され、第１の棚モジュール１１０を、第２の棚モジュール１２０に固定している。その他のインターフェース用直立部１３０が、第１の棚モジュール１１０および第２の棚モジュール１２０の各々の外側に配置され、複数の棚１６０を支持する役割を果たしている。複数のインターフェース用直立部１３０は、略矩形で、土台１１２から背面１１４の最上部へ延伸している。複数のインターフェース用直立部１３０は、金属材料、複合材料、または、第１の棚モジュール１１０を第２の棚モジュール１２０に固定するのに適した任意の他の材料から形成されていてもよい。
【００１８】
ここで、図２を参照すると、モジュール式棚システム２００を、概略図で示している。モジュール式棚システム２００は、図１の第１の棚モジュール１１０、図１の第２の棚モジュール１２０、第３の棚モジュール１３５、第４の棚モジュール１４０、複数のインターフェース用直立部１３０、電力モジュール３００、電線管部２１０、および、複数の導電アセンブリ８００を含む。第３の棚モジュール１３５および第４の棚モジュール１４０は、図１の第１の棚モジュール１１０および第２の棚モジュール１２０について記載したのと同じ構成要素を含む。第３の棚モジュール１３５は、インターフェース用直立部１３０によって、第２の棚モジュール１２０に固定される。同様に、第３の棚モジュール１３５は、インターフェース用直立部１３０によって、第４の棚モジュール１４０に固定される。
【００１９】
更に、図２を参照すると、電力モジュール３００は、（図４から７に示し、図４から７について、以下に詳細に記載した）２つの載置用挿入部材によって、インターフェース用直立部１３０に固定され、載置用挿入部材の１つは、第１の棚モジュール１１０を第２の棚モジュール１２０に固定するインターフェース用直立部１３０の最上部内に配置され、その他の載置用挿入部材は、第２の棚モジュール１２０を第３の棚モジュール１３５に固定するインターフェース用直立部１３０の最上部内に配置される。
【００２０】
更に、図２を参照すると、電力モジュール３００は、棚モジュールの最上部に置かれた電線管部２１０の中に収容された電線を介して、複数の各導電アセンブリ８００に電気的に連結されている。いくつかの実施形態は、電線管部２１０を含まなくてもよく、更に、他の実施形態は、電線管部２１０を棚モジュールの土台１１２に連結する場合など、図２に示したのとは他の方法で、モジュール式棚システム２００に連結された電線管部２１０を含んでいてもよい。下記のように、複数の導電アセンブリ８００は、交替で、モジュール式棚システム２００の近傍の電動式構成要素（例えば、電動式表示部１１８）に、電力を分配する。
【００２１】
図２に示した実施形態では、電力モジュール３００によって電力を供給される４つの棚モジュールがあるが、他の実施形態においては、電力モジュール３００は、３つ以下の棚モジュールに、または、５つ以上の棚モジュールに、電力を供給してもよいと理解されるべきである。更に、導電アセンブリ８００が、１つ置きの棚モジュール、２つ置きの棚モジュールなど、棚モジュールの一部に含まれる実施形態など、他の実施形態において、各棚モジュールの全てが、導電アセンブリ８００を含むものでなくてもよい。
【００２２】
ここで、図３を参照すると、図２の電力モジュール３００を、概略的に側面図で示している。電力モジュール３００は、筐体３３０の中に収容された電力供給部３１０および主制御部３２０を含む。電力供給部３１０は、モジュール式棚システム２００の外部の電源から、交流入力（例えば、１２０ＶＡＣ入力、２４０ＶＡＣ入力、２７７ＶＡＣ入力）または直流入力などの入力電力を受け取る。電力供給部３１０は、複数の導電アセンブリ８００に電力を分配するための複数の出力チャネルを含む主制御部３２０に、電力を提供する。電力供給部３１０が交流入力を受け取り、主制御部３２０が直流を出力する実施形態において、電力供給部３１０および主制御部３２０の少なくとも１つが、整流器を含む。主制御部３２０が、電力供給部３１０が受け取った入力電圧と異なる電圧を出力する実施形態において、電力供給部３１０または主制御部３２０の少なくとも１つが、変圧器を含む。
【００２３】
更に、図３を参照すると、主制御部３２０は、８つの各出力チャネルについて、第１の出力端子および第２の出力端子を含む１６の出力端子を含む。２つの出力チャネルが、複数の各導電アセンブリ８００と関連付けられている。特に、図３および２を参照すると、出力チャネル３２２の第１の対が、第１の棚モジュール１１０の導電アセンブリ８００と関連付けられ、出力チャネル３２４の第２の対が、第２の棚モジュール１２０の導電アセンブリ８００と関連付けられ、出力チャネル３２６の第３の対が、第３の棚モジュール１３５の導電アセンブリ８００と関連付けられ、更に、出力チャネル３２８の第４の対が、第４の棚モジュール１４０の導電アセンブリ８００と関連付けられている。他の実施形態において、主制御部３２０は、１６より多い数、または、１６より少ない数の出力端子を含んでいてもよい。
【００２４】
再び、図３を参照すると、筐体３３０が、電力供給部３１０および主制御部３２０を収容している。筐体３３０は、留め具３３２で、電力供給部３１０および主制御部３２０に固定されている。載置用ブラケット３４０は、筐体３３０の底部末端部から延伸している。筐体３３０は、載置用ブラケット３４０を通って挿入された留め具３４２で、（添付の図４から７に示した）載置用挿入部材に、固定されている。
【００２５】
ここで、図４および５を参照すると、載置用挿入部材４００を、概略的に斜視図（図４）および側面図（図５）で示している。上述したように、電力モジュール３００をモジュール式棚システム２００に固定するために、載置用挿入部材４００を、インターフェース用直立部１３０の最上部（図２を参照）に挿入してもよい。しかしながら、載置用挿入部材４００は、電力モジュールをインターフェース用直立部に固定することに限定されない。他の実施形態において、載置用挿入部材４００は、電力モジュール以外の構成要素を、インターフェース用直立部以外の構成要素に固定するのに使用されてもよい。
【００２６】
載置用挿入部材４００は、天板４１０、第１のブラケット４２０、および、第２のブラケット４３０を含む。天板４１０は、複数の開口部４１２を有する。電力モジュール３００の載置用ブラケット３４０（図３を参照）が、載置用挿入部材４００の天板４１０に係合し、留め具３４２が、電力モジュール３００の載置用ブラケット３４０、および、天板４１０の開口部４１２を通って配置され、それによって、電力モジュール３００をインターフェース用直立部１３０に固定する場合などのように、複数の開口部４１２は、留め具３４２（例えば、ボルトまたはネジ）を受け付けて、電力モジュール３００をインターフェース用直立部１３０に固定する。図４および５に示した実施形態は、２つの開口部４１２を有するが、他の実施形態は、１つだけの開口部、または、２つより多い数の開口部を有してもよいと理解されるべきである。更に、電力モジュール３００が、クリップまたは溶接などの他の方法で、載置用挿入部材４００に固着される実施形態など、いくつかの実施形態は、複数の開口部４１２を有さなくてもよい。
【００２７】
更に、図４および５を参照すると、第１のブラケット４２０は、天板４１０から垂直に延伸している。いくつかの実施形態において、第１のブラケット４２０および天板４１０が、単位構成物を形成するように、第１のブラケット４２０は、天板４１０と一体に形成されている。他の実施形態において、第１のブラケット４２０は、天板４１０に取り付けられている。第２のブラケット４３０は、天板４１０に垂直に向き、第１のブラケット４２０に平行に延伸している。第２のブラケット４３０は、天板４１０に直接固定されていないので、天板４１０に対し浮いている。図４および５に示した実施形態において、第１のブラケット４２０および第２のブラケット４３０は、断面がＣ形状をしたブラケットである。しかしながら、他の実施形態において、第１のブラケット４２０および第２のブラケット４３０は、本明細書に明確に図示および記載したのとは異なるように形成または構成されてもよいと、理解されるべきである。
【００２８】
更に、図４および５を参照すると、第１のブラケット４２０は、複数のネジ山付き開口部４２２、および、複数のガイド開口部４１４を有する。複数のネジ山付き止め部材４６０が、複数のネジ山付き開口部４２２の中に置かれている。いくつかの実施形態において、ネジ山付き止め部材４６０は、ネジ山付き止めネジである。図４および５に示した実施形態は、複数のネジ山付き開口部４２２、および、複数のネジ山付き止め部材４６０を含むが、他の実施形態は、ネジ山のない開口部および止め部材を含んでいてもよい。複数のガイド部材４５０は、第２のブラケット４３０と摺動自在に係合し、第１のブラケット４２０の複数のガイド開口部４１４の中に置かれている。ガイド部材は、第１のブラケット４２０を、第２のブラケット４３０へ機械的に連結する。いくつかの実施形態において、ガイド部材４５０は機械ネジである。いくつかの実施形態において、ガイド部材４５０が第２のブラケット４３０に固着されるように、ガイド部材４５０の先端部は、第２のブラケット４３０に溶接されている。第２のブラケット４３０が、複数のガイド開口部を有し、複数のガイド部材４５０が、それを通って延伸する実施形態など、他の実施形態において、ガイド部材４５０は、第２のブラケット４３０に、溶接も、固着もされていない。
【００２９】
図４および５に示した実施形態は、２つのネジ山付き開口部４２２、および、２つのガイド開口部４１４を有するが、他の実施形態は、１つのネジ山付き開口部４２２および１つのガイド開口部４１４だけ、３つ以上のネジ山付き開口部４２２および３つ以上のガイド開口部４１４、または、異なる数のネジ山付き開口部４２２およびガイド開口部４１４を有していてもよい。ネジ山付き止め部材の先端部が、第２のブラケット４３０に、（例えば、溶接されて）固着される実施形態など、いくつかの実施形態は、複数のガイド開口部４１４を有さなくてもよい。
【００３０】
ここで、図６および７を参照すると、載置用挿入部材４００の配設前の構成６００（図６）から配設後の構成７００（図７）への変化を概略的に示している。インターフェース用直立部１３０の中に置かれた載置用挿入部材４００の上面図を示す図６を参照すると、載置用挿入部材４００の第１のブラケット４２０および第２のブラケット４３０がインターフェース用直立部１３０の短辺側内面と係合しない配設前の構成６００で、載置用挿入部材４００は、インターフェース用直立部１３０の中に置かれていてもよい。次に、ネジ山付き止め部材４６０が、第１の方向に（つまり、ネジ山によっては、時計回り方向、または、半時計回り方向に）回転すると、ネジ山付き止め部材４６０が、（図４から６に示したような）第２のブラケット４３０の表面と係合し、ネジ山付き止め部材４６０は、ガイド部材４５０上を、第２のブラケット４３０の方向に（つまり、第１のブラケット４２０の内部から離れるように）に摺動し、それによって、載置用挿入部材４００が配設後の構成７００（図７）となるまで第１のブラケット４２０と第２のブラケット４３０の間の空間が大きくなるように、第２のブラケット４３０を第１のブラケット４２０から離れるように移動し、配設後の構成では、載置用挿入部材４００は、インターフェース用直立部１３０の短辺側面と接触し、インターフェース用直立部１３０との締まり嵌めを形成する。上述したように、載置用挿入部材４００を、載置用挿入部材４００がインターフェース用直立部１３０と係合する配設後の構成７００に配設することによって、載置用挿入部材４００は、インターフェース用直立部１３０に固定され、電力モジュール３００をインターフェース用直立部１３０に固定するための安定した土台を提供する。
【００３１】
ここで、図８および９を参照すると、棚モジュールの背面１１４に連結された導電アセンブリ８００の側面図（図８）および断面図（図９）を概略的に示している。導電アセンブリ８００は、電力モジュール３００の主制御部３２０（図３を参照）の（第１の電線（例えば、プラス線）および第２の電線（例えば、マイナス線）を含む）第１のチャネル８２０、並びに、（第１の電線（例えば、プラス線）および第２の電線（例えば、マイナス線）を含む）第２のチャネル８３０に、電気的に接続されている。導電アセンブリ８００は、ボード８１０、複数の第１の導電部８９４、複数の第２の導電部８９６、および、背板８９０を含む。
【００３２】
更に、図８および９を参照すると、ボード８１０は、ナットなどの複数の留め具８１２によって、背面１１４に連結および固定されている。ボード８１０は、第１列の開口部８５０、第２列の開口部８６０、第３列の開口部８７０、および、第４列の開口部８８０を有する。いくつかの実施形態において、ボード８１０は、穴あき板である。実施形態において、第１列の開口部８５０と第２列の開口部は、図８および９に示したように、平行である。同様に、実施形態において、第３列の開口部８７０と第４列の開口部８８０も、図８および９に示したように、平行であってもよい。しかしながら、いくつかの実施形態において、開口部の列同士は、平行でなくてもよい。図８および９に示した開口部は、垂直に延伸するが、他の実施形態では、開口部の列は、水平または斜めに向いていてもよい。第１列の開口部８５０の少なくとも１つの開口部と第２列の開口部８６０の少なくとも１つの開口部の直径が、異なっていてもよい。例えば、図８に示したように、第２列の開口部８６０の１つ置きの開口部が、第１列の開口部８５０の対応する開口部より大きくてもよい。第１列の開口部８５０の開口部が円形で、第２列の開口部８６０の開口部が正方形の場合など、他の実施形態において、第１列の開口部８５０の少なくとも１つの開口部と第２列の開口部８６０の少なくとも１つの開口部の形状が、異なっていてもよい。第１列の開口部８５０の開口部の直径または形状を、第２列の開口部８６０の開口部の直径と異ならせることによって、正しい極性を有する、（電力を、電動式表示部、または、本明細書に記載の他の電動式構成要素に供給する）電磁コネクタ１０００だけを挿入できるようになり、それによって、電磁コネクタ１０００を、逆極性を有する導電アセンブリ８００に連結することに伴う望ましくない結果（例えば、短絡）を避けることができる。
【００３３】
更に、図８および９を参照すると、第１列の開口部８５０の各開口部は、同じ直径を有する。他の実施形態において、第１列の開口部８５０の開口部の直径は、一定でなくてもよい。更に、他の実施形態において、第２列の各開口部８６０の全てが、第１列の各開口部８５０の全てと異なる直径を有していてもよい。
【００３４】
ここで、図９を参照すると、背板８９０の少なくとも一部は、強磁性または磁性材料から形成されるか、または、そのような材料を含んでいる。いくつかの実施形態において、背板８９０は、強磁性または磁性金属（例えば、鋼）、若しくは、強磁性または磁性金属合金から形成される。いくつかの実施形態において、背板８９０は、永久磁石または電磁石である。いくつかの実施形態において、背板８９０は、導電性である。接着テープなどの電気絶縁接着剤８９２が、背板８９０と第１の導電部８９４および第２の導電部８９６との間に配置される。電気絶縁接着剤８９２は、第１の導電部８９４を背板８９０に固定し、第２の導電部８９６を背板８９０に固定する。背板が導電性でない実施形態など、いくつかの実施形態は、電気絶縁接着剤８９２を含まなくてもよい。
【００３５】
更に、図９を参照すると、第１の導電部８９４は、背板８９０とボード８１０の間に配置されている。第１の導電部８９４に電気的に連結するために、第１列の開口部８５０を通してアクセス可能なように、第１の導電部８９４は第１列の開口部８５０と位置合わせされている。第１の導電部８９４は、第１のチャネル８２０の第１の電線を介して（図８を参照）、電力モジュール３００（図２および３）に電気的に連結されている。第１の導電部８９４は、導電性金属（例えば、銅、アルミニウムなど）、または、任意の導電性材料から形成されてもよい。
【００３６】
再び、図９を参照すると、第２の導電部８９６は、背板８９０とボード８１０の間に配置されている。第２の導電部８９６に電気的に連結するために、第２列の開口部８６０を通してアクセス可能なように、第２の導電部８９６は第２列の開口部８６０と位置合わせされている。第２の導電部８９６は、第１のチャネル８２０の第２の電線を介して（図８を参照）、電力モジュール３００（図２および３）に電気的に連結されている。第２の導電部８９６は、導電性金属（例えば、銅、アルミニウムなど）、または、任意の導電性材料から形成されてもよい。
【００３７】
構成要素は、導電アセンブリ８００の第１の導電部８９４および第２の導電部８９６に接続された時に、電力を供給されてもよく、第１の導電部８９４および第２の導電部８９６は、次に、電力モジュール３００と電気的に連通している。次に記載するように、いくつかの実施形態において、第１の導電部８９４および第２の導電部８９６は、導電アセンブリ８００に電気的に連結された電磁コネクタ１０００を介して、電動式構成要素に電力を提供する。
【００３８】
図８および９に示した実施形態は、２つのチャネルを含み、各チャネルが、第１の導電部８９４および第２の導電部８９６を有するが、他の実施形態は、１つだけのチャネル、または、３つより多い数のチャネルを含み、各チャネルが、第１の導電部８９４および第２の導電部８９６を有していてもよい。複数の各チャネルが別々の第１の導電部を有すると共に共通の第２の導電部を共有する実施形態、または、複数の各チャネルが別々の第２の導電部を有すると共に共通の第１の導電部を共有する実施形態など、他の実施形態において、多数のチャネルが、１つの導電部を共有してもよい。
【００３９】
ここで、図１０を参照すると、電磁コネクタ１０００の概略側面図を示している。電磁コネクタ１０００は、コネクタ本体１０１０、第１の導電端子１０２０、第２の導電端子１０３０、複数の第１の磁石部１０４０、および、複数の第２の磁石部１０５０を含む。
【００４０】
更に、図１０および（コネクタ本体１０１０の上面図を示す）図１３を参照すると、コネクタ本体１０１０は、コネクタ本体１０１０の厚さ方向を通って延伸する第２の端子開口部１０１２を有する。第２の導電端子１０３０が、第２の端子開口部１０１２を通って延伸する。コネクタ本体は、コネクタ本体１０１０の厚さ方向を通って延伸する第１の端子開口部１０１４を有する。第１の導電端子１０２０が、第１の端子開口部１０１４を通って延伸する。コネクタ本体１０１０は、複数の留め用開口部１０１６も有し、その中に、結束バンドなどの留め具をループ状に通して、端子に接続された電線を、コネクタ本体１００に固定してもよい。コネクタ本体１０１０は、そのような留め具の一部を受け付けてもよい凹部１０１８も含む。いくつかの実施形態において、コネクタ本体１０１は、プラスチックから形成されるが、コネクタ本体１０１０の材料は、プラスチックに限定されない。
【００４１】
更に、図１０を参照すると、第１の導電端子１０２０が、コネクタ本体１０１０に連結されている。第１の導電端子１０２０は、第１の導電端子１０２０の第１の端部において、第１の電気的接触面１０２２で終端する。図１１に示したように、実施形態において、第１の電気的接触面１０２２は、平面かつ円形である。しかしながら、他の実施形態において、第１の電気的接触面１０２２は、平面でも円形でもある必要はなく、第１の電気的接触面１０２２は、概して、第１列の開口部８５０の対応する開口部によって受け付けられる形状である（図８を参照）。第１の導電端子１０２０の第２の端部は、本明細書に記載の電力分配システムによって電力を供給されるべき装置（例えば、電動式表示部）に電気的に連結された第１の導電部（電線など）を受け付ける、第１の導電部進入開口部１０２４を有する。いくつかの実施形態において、第１の導電端子１０２０は真鍮から形成されるが、他の実施形態において、第１の導電端子１０２０は、任意の他の導電材料から形成されてもよい。いくつかの実施形態において、第１の電気的接触面１０２２は、酸化、腐食および／または過電圧に対する耐性を高めると共に、経時的な電気的完全性を高める、銀カドミウム、錫、または他の材料などの耐腐食材料を含む。いくつかの実施形態において、第１の電気的接触面１０２２は、銀カドミウム、錫、または他の材料など耐腐食材料を含むメッキ層などの少なくとも１つのメッキ層を含む。第１の電気的接触面１０２２が少なくとも１つのメッキ層を含む実施形態において、メッキ層は、酸化、腐食および／または過電圧に対する耐性を高めると共に、経時的な電気的完全性を高めることができる。いくつかの実施形態において、第１の電気的接触面１０２２は、メッキされていない。いくつかの実施形態において、第１の電気的接触面１０２２は、テフロン（登録商標）ペースト、潤滑油、または、他の物質などの摩擦低減被膜で、被膜されている。図１４は、第１の導電端子１０２０の側面図を示している。
【００４２】
再び、図１０を参照すると、第２の導電端子１０３０が、コネクタ本体１０１０に連結され、第１の導電端子１０２０から間隔が空けられている。第２の導電端子１０３０は、第２の導電端子１０３０の第１の端部において、第２の電気的接触面１０３２で終端している。実施形態において、第２の電気的接触面１０３２は、平面かつ円形である。しかしながら、他の実施形態において、第２の電気的接触面１０３２は、平面でも円形でもある必要はなく、第２の電気的接触面１０３２は、概して、第２列の開口部８６０の対応する開口部によって受け付けられる形状である（図８を参照）。第２の導電端子１０３０の第２の端部は、本明細書に記載の電力分配システムによって電力を供給されるべき装置（例えば、電動式表示部）に電気的に連結された第２の導電部（電線など）を受け付ける、第２の導電部進入開口部１０３４を有する。いくつかの実施形態において、第２の導電端子１０３０は、真鍮から形成されるが、他の実施形態において、第２の導電端子１０３０は、任意の他の導電材料から形成されてもよい。いくつかの実施形態において、第２の電気的接触面１０３２は、酸化、腐食および／または過電圧に対する耐性を高めると共に、経時的な電気的完全性を高める、銀カドミウム、錫、または他の材料などの耐腐食材料を含む。いくつかの実施形態において、第２の電気的接触面１０３２は、銀カドミウム、錫、または他の材料など耐腐食材料を含むメッキ層などの少なくとも１つのメッキ層を含む。第２の電気的接触面１０３２が少なくとも１つのメッキ層を含む実施形態において、メッキ層は、酸化、腐食および／または過電圧に対する耐性を高めると共に、経時的な電気的完全性を高めることができる。いくつかの実施形態において、第２の電気的接触面１０３２は、メッキされていない。いくつかの実施形態において、第２の電気的接触面１０３２は、「テフロン」ペースト、潤滑油、または、他の物質などの摩擦低減被膜で、被膜されている。
【００４３】
図１０に示した実施形態において、第１の電気的接触面１０２２が第１の導電部８９４に対応する第１列の開口部８５０の開口部によって受け付けられ、第２の電気的接触面１０３２が第２の導電部８９６に対応する第２列の開口部８６０の開口部によって受け付けられるというようにして、電磁コネクタ１０００が導電アセンブリ８００によって受け付けられるように（図８および９）、第１の電気的接触面１０２２の直径は、第２の電気的接触面１０３２の直径より小さい。他の実施形態において、第１の電気的接触面１０２２が第１の導電部８９４と同じ形状を有する第１列の開口部８５０の開口部によって受け付けられ、第２の電気的接触面１０３２が第２の導電部８９６と同じ形状を有する第２列の開口部８６０の開口部によって受け付けられるというようにして、電磁コネクタ１０００が導電アセンブリ８００によって受け付けられるように（図８および９）、第１の電気的接触面１０２２の形状は、第２の電気的接触面１０３２の形状と異なる。
【００４４】
更に、図１０を参照すると、複数の第１の磁石部１０４０が、コネクタ本体１０１０と第１の電気的接触面１０２２の間に置かれている。複数の第１の各磁石部１０４０は、開口部を含む。図１０に示したように、複数の第１の磁石部１０４０がコネクタ本体１０１０と第１の電気的接触面１０２２の間に固定されように、第１の導電端子１０２０は、複数の第１の各磁石部１０４０の開口部を通って延伸する。図１０に示した実施形態は、複数の第１の磁石部１０４０を含むが、他の実施形態は、コネクタ本体１０１０と第１の電気的接触面１０２２の間に置かれた１つだけの磁石部を含んでいてもよい。
【００４５】
更に、図１０を参照すると、複数の第２の磁石部１０５０が、コネクタ本体１０１０と第２の電気的接触面１０３２の間に置かれている。複数の第２の各磁石部１０５０は、開口部を含む。図１０に示したように、複数の第２の磁石部１０５０がコネクタ本体１０１０と第２の電気的接触面１０３２の間に固定されように、第２の導電端子１０３０は、複数の第２の各磁石部１０５０の開口部を通って延伸する。図１０に示した実施形態は、複数の第２の磁石部１０５０を含むが、他の実施形態は、コネクタ本体１０１０と第２の電気的接触面１０３２の間に置かれた１つだけの磁石部を含んでいてもよい。
【００４６】
いくつかの実施形態において、複数の第１の磁石部１０４０および複数の第２の磁石部１０５０は、図１２に示したように、ドーナツ型ネオジム磁石である。しかしながら、他の実施形態において、他の磁石を使用してもよいと理解されるべきである。更に、背板８９０が、磁性体であると共に、電磁コネクタ１０００が、磁気によって背板８９０に引き付けられる強磁性材料を含む実施形態など、いくつかの実施形態は、電磁コネクタ１０００上に磁石部を含まなくてもよい。
【００４７】
組み立てられた時に、電磁コネクタ１０００の第１の導電端子１０２０および第２の導電端子１０３０は、互いに浮いており、それによって、第１の導電端子１０２０および第２の導電端子１０３０を導電アセンブリ８００の適切な開口部と位置合わせする際の許容度を与えると、理解されるべきである。
【００４８】
動作において、図１５に示したように、第１の導電端子１０２０が第１列の開口部８５０の適切な開口部の中に配置され、第２の導電端子１０３０が第２列の開口部８６０の適切な開口部の中に配置されるように、電磁コネクタ１０００が配置された時に、複数の第１の磁石部１０４０と複数の第２の磁石部１０５０が導電アセンブリ８００の背板８９０に引き付けられ、それによって、電磁コネクタ１０００を導電アセンブリ８００に機械的に連結する。特に、第１の導電部８９４が第１の導電端子１０２０に電気的に連結されるように、第１の導電端子１０２０は、第１列の開口部８５０の第１の開口部の中に置かれる。同様に、第２の導電部８９６が第２の導電端子１０３０に電気的に連結されるように、第２の導電端子１０３０は、第２列の開口部８６０の第２の開口部の中に置かれる。したがって、電力モジュール３００は、中間の導電アセンブリ８００を介して、電磁コネクタ１０００に電気的に連結された装置に連結されることになる。電磁コネクタ１０００を導電アセンブリ８００から離すように引っ張ることによって、電動式装置の接続を解除してもよい。いくつかの実施形態において、電磁コネクタ１０００を導電アセンブリ８００から離すように引っ張るために、電磁コネクタ１０００と導電アセンブリ８００の引き付け合う磁力に打ち勝つのに必要な引っ張る力は、約１０ポンド（約４４Ｎ）の引っ張る力、または、約１５ポンド（約６７Ｎ）の引っ張る力など、人が快適に出しうる力より大きくなくてよい。いくつかの実施形態において、電磁コネクタ１０００の磁石部は、機械的衝撃、振動、および周囲の環境の温度変化にも関わらず、導電アセンブリ８００と電磁コネクタ１０００の機械的および電気的連結を維持するのに十分な磁力で、電磁コネクタ１０００を導電アセンブリ８００に機械的に連結するのに十分な強度である。いくつかの実施形態において、酸化、腐食、または、過電圧により生じた破片を除去し、電磁コネクタ１０００の電気的接触面と導電アセンブリ８００の導電部の間の電気的完全性を高めるために、電磁コネクタ１０００が導電アセンブリ８００に連結される時に電磁コネクタ１０００の導電端子の電気的接触面が導電アセンブリ８００の導電部を掃引するように、電磁コネクタ１０００は、機械的に導電アセンブリ８００に連結されるように構成されてもよい。
【００４９】
いくつかの実施形態において、１つ以上の磁石部の電気的接触面が、対向する導電部に電気的に連結されうるように、第１の導電端子１０２０または第２の導電端子１０３０は、コネクタ本体１０１０から延伸し電気的接触面で終端する１つ以上の磁石部を、含んでいてもよい。そのような実施形態において、１つ以上の磁石部は、電気回路に電気的に接続されていてもよい。
【００５０】
ここで、本明細書に記載の、インターフェース用直立部、導電アセンブリおよび電磁コネクタを含むモジュール式棚システムは、棚モジュールに連結された電力モジュールから、導電アセンブリに電気的に接続された電動式構成要素へ電力を分配するのに、便利で、かつ、サイズ変更が可能な電力分配構成を提供すると、理解されるべきである。本明細書に記載の導電アセンブリは、対応する電磁コネクタが、正しい極性を有する導電アセンブリに確実に連結されるようにし、それによって、電磁コネクタを、逆極性を有する導電アセンブリに連結することに伴う望ましくない結果（例えば、短絡）を回避することができる。本明細書に記載の電磁コネクタは、電磁コネクタの磁石が導電アセンブリの磁性要素に引き付けられる磁力によって、電磁コネクタを対応する導電アセンブリに連結するための速く、効率的で簡単な方法を提供する。
【００５１】
本明細書において、「略」および「約」という用語は、任意の定量的比較、値、測定値、または、他の表現に起因する、内在する程度の不確実さを表すのに用いられる。本明細書において、これらの用語は、定量的表現が、本主題の基本的機能を変えることなく、記載したものから異なっていてもよい程度を表すのにも用いられる。
【００５２】
本明細書で、特定の実施形態を図示および記載したが、請求した主題の精神および範囲から逸脱することなく、様々な他の変形および変更が可能であると理解されるべきである。更に、本明細書で、請求した主題の様々な態様を記載したが、そのような態様は、組み合わせて用いられる必要はない。したがって、添付の請求項が、請求した主題の範囲内の、そのような全ての変形および変更を網羅することを意図している。
【符号の説明】
【００５３】
１１０  第１の棚モジュール
１１２  土台
１１４  背面
１１６  棚
１１８  電動式表示部
１２０  第２の棚モジュール
１３０  インターフェース用直立部
１３５  第３の棚モジュール
１４０  第４の棚モジュール
２００  モジュール式棚システム
２１０  電線管部
３００  電力モジュール
３１０  電力供給部
３２０  主制御部
３２２、３２４、３２６、３２８  出力チャネル
３３０  筐体
３３２、３４２、８１２  留め具
３４０  載置用ブラケット
４００  載置用挿入部材
４１０  天板
４１２  開口部
４１４  ガイド開口部
４２０  第１のブラケット
４２２  ネジ山付き開口部
４３０  第２のブラケット
４５０  ガイド部材
４６０  ネジ山付き止め部材
８００  導電アセンブリ
８１０  ボード
８２０  第１のチャネル
８３０  第２のチャネル
８５０  第１列の開口部
８６０  第２列の開口部
８７０  第３列の開口部
８８０  第４列の開口部
８９０  背板
８９２  電気絶縁接着剤
８９４  第１の導電部
８９６  第２の導電部
１０００  電磁コネクタ
１０１０  コネクタ本体
１０１２  第２の端子開口部
１０１４  第１の端子開口部
１０１６  留め用開口部
１０１８  凹部
１０２０  第１の導電端子
１０２２  第１の電気的接触面
１０２４  第１の導電部進入開口部
１０３０  第２の導電端子
１０３２  第２の電気的接触面
１０３４  第２の導電部進入開口部
１０４０  第１の磁石部
１０５０  第２の磁石部
【図１】
2018522603.tif 000003
【図２】
2018522603.tif 000004
【図３】
2018522603.tif 000005
【図４】
2018522603.tif 000006
【図５】
2018522603.tif 000007
【図６】
2018522603.tif 000008
【図７】
2018522603.tif 000009
【図８】
2018522603.tif 000010
【図９】
2018522603.tif 000011
【図１０】
2018522603.tif 000012
【図１１】
2018522603.tif 000013
【図１２】
2018522603.tif 000014
【図１３】
2018522603.tif 000015
【図１４】
2018522603.tif 000016
【図１５】
2018522603.tif 000017
【国際調査報告】
2018522603.tif 000018
2018522603.tif 000019
2018522603.tif 000020
2018522603.tif 000021
2018522603.tif 000022